【手続補正書】
【提出日】平成25年5月22日(2013.5.22)
【手続補正１】
【補正対象書類名】特許請求の範囲
【補正対象項目名】全文
【補正方法】変更
【補正の内容】
【特許請求の範囲】
【請求項１】
無線通信システムにおける端末の動作方法において、
基地局からグループ構成メッセージを受信する過程と、
前記基地局からグループ資源割当メッセージを受信する過程と、を含み、
前記グループ構成メッセージは、予め定義された資源サイズのうちから、一つ以上の端末を含むグループ内で支援される資源サイズを指示するための資源サイズビットマップを含み、
前記グループ資源割当メッセージは、前記グループで資源割当のために決定された少なくとも一つの端末を指示するユーザ情報と、前記グループで前記支援される資源サイズのうちから前記決定された少なくとも一つの端末に割り当てられた資源サイズを指示する資源割当情報を含むことを特徴とする方法。
【請求項２】
前記資源サイズビットマップはＮビットマップであり、前記支援される資源サイズの数はＭであり、ここでＭはＮより小さく、第ｎビットが「１」に設定されていることは、前記第ｎビットに対応する資源サイズが前記グループ内で支援されることを指示することを特徴とする請求項１に記載の方法。
【請求項３】
前記Ｎは１６であって、前記Ｍは８であることを特徴とする請求項２に記載の方法。
【請求項４】
前記グループ構成メッセージは、前記グループ内で支援されるバーストサイズを指示する情報をさらに含み、
前記資源割当情報は、前記グループ構成メッセージに予め定義された前記バーストサイズのうち何れか一つのバーストサイズをさらに指示することを特徴とする請求項１から請求項３のいずれか一項に記載の方法。
【請求項５】
前記グループ構成メッセージに基づいて資源サイズコードブック及びバーストサイズコードブックを生成する過程をさらに含むことを特徴とする請求項１から請求項４のいずれか一項に記載の方法。
【請求項６】
前記資源サイズコードブック及びバーストサイズコードブックを用いて前記端末に割り当てられた資源のサイズ及びバーストのサイズを確認する過程と、
前記確認された資源のサイズ及びバーストのサイズを基に基地局と通信する過程と、をさらに含むことを特徴とする請求項５に記載の方法。
【請求項７】
無線通信システムにおける基地局での資源割当のための方法において、
グループ構成メッセージを送信する過程と、
グループ資源割当メッセージを送信する過程と、を含み、
前記グループ構成メッセージは、予め定義された資源サイズのうちから、一つ以上の端末を含むグループ内で支援される資源サイズを指示するための資源サイズビットマップを含み、
前記グループ資源割当メッセージは、前記グループで資源割当のために決定された少なくとも一つの端末を指示するユーザ情報と、前記グループで前記資源サイズのうちから前記決定された少なくとも一つの端末に割り当てられた資源サイズを指示する資源割当情報を含むことを特徴とする方法。
【請求項８】
前記資源サイズビットマップはＮビットビットマップであり、前記支援される資源サイズの数はＭであり、ここでＭはＮより小さく、第ｎビットが「１」に設定されていることは、前記第ｎビットに対応する資源サイズが前記グループ内で支援されることを指示することを特徴とする請求項７に記載の方法。
【請求項９】
前記Ｎは１６であって、前記Ｍは８であることを特徴とする請求項８に記載の方法。
【請求項１０】
前記グループ構成メッセージは、前記グループ内で支援されるバーストサイズを指示する情報をさらに含み、
前記資源割当情報は、前記グループ構成メッセージに予め定義された前記バーストサイズのうち何れか一つのバーストサイズをさらに指示することを特徴とする請求項７から請求項９のいずれか一項に記載の方法。
【請求項１１】
複数の端末と協議する過程と、
少なくとも２個の端末を一つのグループに構成する過程と、をさらに含むことを特徴とする請求項７から請求項１０のいずれか一項に記載の方法。
【請求項１２】
前記グループに追加される端末が存在するか否か、グループ構成メッセージに対して変更事項が存在するか否か、グループ構成メッセージ送信周期が到来したか否かのうち少なくとも一つを決定する過程と、
前記グループに追加される端末が存在するか、グループ構成メッセージに対して変更事項が存在するか、またはグループ構成メッセージの送信周期が到来したことが決定される場合、資源サイズコードブック情報及びバーストサイズコードブック情報を作成する過程と、をさらに含むことを特徴とする請求項７から請求項１１のいずれか一項に記載の方法。
【請求項１３】
無線通信システムにおける端末装置において、
基地局からグループ構成メッセージを受信して、前記基地局からグループ資源割当メッセージを受信する受信機を含み、
前記グループ構成メッセージは、予め定義された資源サイズのうちから、一つ以上の端末を含むグループ内で支援される資源サイズを指示するための資源サイズビットマップを含み、
前記グループ資源割当メッセージは、前記グループで資源割当のために決定された少なくとも一つの端末を指示するユーザ情報と、前記グループで前記支援される資源サイズのうちから前記決定された少なくとも一つの端末に割り当てられた資源サイズを指示する資源割当情報を含むことを特徴とする装置。
【請求項１４】
前記資源サイズビットマップはＮビットビットマップであり、前記支援される資源サイズの数はＭであり、ここでＭはＮより小さく、第ｎビットが「１」に設定されていることは、前記第ｎビットに対応する資源サイズが前記グループ内で支援されることを指示することを特徴とする請求項１３に記載の装置。
【請求項１５】
前記Ｎは１６であって、前記Ｍは８であることを特徴とする請求項１４に記載の装置。
【請求項１６】
前記グループ構成メッセージは、前記グループ内で支援されるバーストサイズを指示する情報をさらに含み、
前記資源割当情報は、前記グループ構成メッセージに予め定義された前記バーストサイズのうち何れか一つのバーストサイズをさらに指示することを特徴とする請求項１３から請求項１５のいずれか一項に記載の装置。
【請求項１７】
前記グループ構成メッセージを基に資源サイズコードブック及びバーストサイズコードブックを生成するコードブック生成機をさらに含むことを特徴とする請求項１３から請求項１６のいずれか一項に記載の装置。
【請求項１８】
前記資源サイズコードブック及びバーストサイズオコードブックを用いて前記端末に割り当てられた資源のサイズ及びバーストのサイズを確認する制御部をさらに含み、
前記端末は、前記確認された資源のサイズ及びバーストのサイズを基に基地局と通信することを特徴とする請求項１７に記載の装置。
【請求項１９】
無線通信システムにおける資源を割当するための基地局の装置において、
グループ構成メッセージと、グループ資源割当メッセージを送信する送信機を含み、
前記グループ構成メッセージは、予め定義された資源サイズのうちから、一つ以上の端末を含むグループ内で支援される資源サイズを指示するための資源サイズビットマップを含み、
前記グループ資源割当メッセージは、前記グループで資源割当のために決定された少なくとも一つの端末を指示するユーザ情報と、前記グループで前記支援される資源サイズのうちから前記決定された少なくとも一つの端末に割り当てられた資源サイズを指示する資源割当情報を含むことを特徴とする装置。
【請求項２０】
前記資源サイズビットマップはＮビットビットマップであり、前記支援される資源サイズの数はＭであり、ここでＭはＮより小さく、第ｎビットが「１」に設定されていることは、前記第ｎビットに対応する資源サイズが前記グループ内で支援されることを指示することを特徴とする請求項１９に記載の装置。
【請求項２１】
前記Ｎは１６であって、前記Ｍは８であることを特徴とする請求項２０に記載の装置。
【請求項２２】
前記グループ構成メッセージは、前記グループ内で支援されるバーストサイズを指示する情報をさらに含み、
前記資源割当情報は、前記グループ構成メッセージに予め定義された前記バーストサイズのうち何れか一つのバーストサイズをさらに指示することを特徴とする請求項１９から請求項２１のいずれか一項に記載の装置。
【請求項２３】
複数の端末と協議し、少なくとも２個の端末を一つのグループに構成する制御部をさらに含むことを特徴とする請求項１９から請求項２２のいずれか一項に記載の装置。
【請求項２４】
前記制御部は、前記グループに追加される端末が存在するか否か、グループ構成メッセージに対して変更事項が存在するか否か、グループ構成メッセージ送信周期が到来したか否かのうち少なくとも一つを決定し、前記グループに追加される端末が存在するか、グループ構成メッセージに対して変更事項が存在するか、またはグループ構成メッセージの送信周期が到来したことが決定される場合、資源サイズコードブック情報及びバーストサイズコードブック情報を作成することを特徴とする請求項１９から請求項２３のいずれか一項に記載の装置。